(57)【要約】      （修正有）【課題】釣糸を練り込んでいない穴あきタイプの渦巻き線香を松風渦巻き線香釣台に好適に使用できる釣金具を提供する。【解決手段】渦巻き線香支持部と、その渦巻き線香支持部の中央から上方に向かって連続して設けられた渦巻き線香釣り下げ部とからなり、渦巻き線香の最内周部の内側から渦巻き線香釣り下げ部が上方に延びるように渦巻き線香を渦巻き線香支持部の上に載せてから渦巻き線香釣り下げ部を釣台に釣り下げる釣金具において、渦巻き線香支持部と渦巻き線香釣り下げ部が一本の針金から形成され、渦巻き線香支持部が渦巻き線香の最内周部より内側から出発して互いに接触せずに渦巻き線香を最内周から０．５周より多く２．０周より少ない範囲で下方から支持するように渦巻き状に延び、渦巻き線香釣り下げ部が渦巻き線香支持部の最内周部と接続し、その最内周部から上方に延びた後、下方に湾曲して、その湾曲部で釣台への釣り下げを可能にする。【選択図】図２ａ
0003130540.tif 000002
【実用新案登録請求の範囲】
【請求項１】
釣糸を有しない穴あきタイプの渦巻き線香を釣台に釣り下げるための釣金具であって、渦巻き線香支持部と、その渦巻き線香支持部の中央から上方に向かって連続して設けられた渦巻き線香釣り下げ部とからなり、渦巻き線香の最内周部の内側から渦巻き線香釣り下げ部が上方に延びるように渦巻き線香を渦巻き線香支持部の上に載せてから渦巻き線香釣り下げ部を釣台に釣り下げる釣金具において、渦巻き線香支持部と渦巻き線香釣り下げ部が一本の針金から形成されていること、渦巻き線香支持部が渦巻き線香の最内周部より内側から出発して互いに接触せずに渦巻き線香を最内周から０．５周より多く２．０周より少ない範囲で下方から支持するように渦巻き状に延びていること、渦巻き線香釣り下げ部が渦巻き線香支持部の最内周部と接続し、その最内周部から上方に延びた後、下方に湾曲して、その湾曲部で釣台への釣り下げを可能にしていることを特徴とする渦巻き線香の釣金具。
【請求項２】
渦巻き線香釣り下げ部の下方への湾曲部が渦巻き線香釣り下げ時に渦巻き線香の最内周部の内側に達するような長さまで延びており、渦巻き線香釣り下げ部の渦巻き線香支持部と接続する端部と、下方への湾曲部の端部とが、渦巻き線香の最内周部の内側の実質的に最大直径を有する部分を互いに外側に広がろうとする力によって支持することを特徴とする請求項１に記載の渦巻き線香の釣金具。
【請求項３】
釣糸を有しない穴あきタイプの渦巻き線香と、請求項１又は２に記載の釣金具とからなることを特徴とする渦巻き線香セット。
【考案の詳細な説明】
【技術分野】
【０００１】
本考案は、葬儀後に仏壇等で焚かれる渦巻き線香のための釣金具に関する。
【背景技術】
【０００２】
渦巻き線香は、明治時代に大阪で考案されたものであり、葬儀の日から４９日間の間、仏壇等で線香の火を絶やさないため、長時間点火時間を維持できるようにしたものである。
【０００３】
従来の一般的な渦巻き線香は、渦巻き状に側縁を密接して平坦に巻かれたものであり、線香の中央端部に釣糸が練り込まれたタイプ（図１ａ参照）と、釣糸が練り込まれていない穴あきタイプ（図１ｂ参照）の二種類に大きく分けられる。
【０００４】
釣糸が練り込まれたタイプの渦巻き線香は、金属製の灰受け皿の一端に針金を逆Ｌ字状に立設した釣台（松風渦巻き線香釣台）の針金の先端に釣糸を引っ掛けることによって渦巻き線香を釣り下げて使用するものである（図２ａ参照）。また、釣糸が練り込まれていない穴あきタイプの渦巻き線香は、耐熱性の灰受け皿の中央に傘状に盛り上げた部品を設置してその先端で渦巻き線香の穴のあいた中心部を下面から支持するようにして使用するものである（図２ｂ参照）。
【０００５】
これらのタイプの渦巻き線香はいずれも、上記のように専用の台や部品を使用しないと目的を達成することができないにもかかわらず、その使用目的上、使い慣れたユーザが存在しないため、購入した渦巻き線香のタイプと用意した専用の台や部品とが合致しないことが頻繁に起こりうる。例えば、購入した渦巻き線香が釣糸を練り込んでいない穴あきタイプのものであるとき、釣台として松風渦巻き線香釣台しか用意していないときは渦巻き線香を好適に使用することができない。
【考案の開示】
【考案が解決しようとする課題】
【０００６】
本考案は、かかる従来技術の現状に鑑み創案されたものであり、その目的は、釣糸を練り込んでいない穴あきタイプの渦巻き線香を松風渦巻き線香釣台に好適に使用できる釣金具を提供することにある。
【課題を解決するための手段】
【０００７】
本考案は、かかる目的を達成するために穴あきタイプの渦巻き線香に好適な渦巻き線香支持部と渦巻き線香釣り下げ部を有する釣金具について鋭意検討した結果、本考案の完成に至った。
【０００８】
即ち、本考案は、釣糸を有しない穴あきタイプの渦巻き線香を釣台に釣り下げるための釣金具であって、渦巻き線香支持部と、その渦巻き線香支持部の中央から上方に向かって連続して設けられた渦巻き線香釣り下げ部とからなり、渦巻き線香の最内周部の内側から渦巻き線香釣り下げ部が上方に延びるように渦巻き線香を渦巻き線香支持部の上に載せてから渦巻き線香釣り下げ部を釣台に釣り下げる釣金具において、渦巻き線香支持部と渦巻き線香釣り下げ部が一本の針金から形成されていること、渦巻き線香支持部が渦巻き線香の最内周部より内側から出発して互いに接触せずに渦巻き線香を最内周から０．５周より多く２．０周より少ない範囲で下方から支持するように渦巻き状に延びていること、渦巻き線香釣り下げ部が渦巻き線香支持部の最内周部と接続し、その最内周部から上方に延びた後、下方に湾曲して、その湾曲部で釣台への釣り下げを可能にしていることを特徴とする渦巻き線香の釣金具である。
【０００９】
本考案の好ましい態様では、渦巻き線香釣り下げ部の下方への湾曲部が渦巻き線香釣り下げ時に渦巻き線香の最内周部の内側に達するような長さまで延びており、渦巻き線香釣り下げ部の渦巻き線香支持部と接続する端部と、下方への湾曲部の端部とが、渦巻き線香の最内周部の内側の実質的に最大直径を有する部分を互いに外側に広がろうとする力によって支持する。
【００１０】
また、本考案は、釣糸を有しない穴あきタイプの渦巻き線香と、上記のような釣金具とからなる渦巻き線香セットである。
【考案の効果】
【００１１】
本考案の釣金具は、渦巻き線香を下面から支持する渦巻き線香支持部と、渦巻き線香穴あき部から上方に延びる渦巻き線香釣り下げ部とからなるので、釣糸を有しない穴あきタイプの渦巻き線香を松風渦巻き線香釣台に容易かつ安定して釣り下げることができる。また、本考案の釣金具は、一本の針金から形成されているため、製造が容易かつ安価である。また、本考案の釣金具は、渦巻き線香支持部が渦巻き線香の最内周から一定範囲で渦巻き線香を下方から支持するようにしているので、釣台に安定して釣り下げながらほとんど最後まで経済的に渦巻き線香を使用することができる。
【考案を実施するための最良の形態】
【００１２】
本考案の釣金具で使用する渦巻き線香は、静岡以西の西日本で死亡直後に柩や位牌の前に、その後仏壇等で焚かれるときに使用されるものであり、円形断面を有する線香を渦巻き状に形成したもののうち、特に釣糸を練り込んでいない穴あきタイプのものを対象とする。本考案の釣金具で使用する渦巻き線香には、蚊の駆除を目的とする蚊取線香は含まれない。
【００１３】
本考案の釣金具１は、図３に示すように、渦巻き線香支持部２と、その渦巻き線香支持部の中央から上方に向かって連続して設けられた渦巻き線香釣り下げ部３とから構成される。渦巻き線香支持部２は、下方から渦巻き線香を支持するためのものであり、渦巻き線香釣り下げ部３は、渦巻き線香を支持した釣金具１を松風渦巻き線香釣台に釣り下げるためのものである。実際には、本考案の釣金具１は、図４に示すように、渦巻き線香釣り下げ部３が渦巻き線香の最内周部の内側から上方に延びるようにかつ渦巻き線香支持部２が渦巻き線香の最内周部から外側に一定範囲で渦巻き線香を下方から支持するように、釣台５に釣り下げられて使用される。
【００１４】
本考案の釣金具１は、図３に示すように、渦巻き線香支持部２と渦巻き線香釣り下げ部３とが連続した一本の針金から形成されている。渦巻き線香釣り下げ部３は、渦巻き線香支持部２の最内周部の末端で接続し、その接続した最内周部の末端から上方に一定距離延びた後、下方に一定距離湾曲して、その湾曲部で釣台への釣り下げを可能にしている。
【００１５】
この下方への湾曲部は、釣台への安定した釣り下げが可能であればどのような湾曲形状も採用できるが、例えば図３及び図４に示すように、渦巻き線香釣り下げ時に渦巻き線香の最内周部の内側に達するような長さまで延びており、渦巻き線香釣り下げ部３の渦巻き線香支持部２と接続する端部と、下方への湾曲部の端部とが互いに外側に広がろうとする力によって、渦巻き線香の最内周部の内側の実質的に最大直径を有する部分を横方向に支持することが好ましい。これにより、本考案の釣金具１からの渦巻き線香の横方向のずれを効果的に防止することができる。
【００１６】
本考案の釣金具１の渦巻き線香支持部２は、互いに接触せずに渦巻き状に延びるが、実際に渦巻き線香を支持するときは、渦巻き線香の最内周部の内側から出発して最内周から０．５周より多く２．０周より少ない範囲で下方から支持するように形成されることが必要である。このような範囲で支持するようにしたのは、０．５周以下であると渦巻き線香をしっかりと下方から支持できないからであり、２．０周以上であると釣金具１に接触して燃焼せずに残る線香が多くなるため経済的に好ましくないからである。好ましくは、渦巻き線香支持部２は、渦巻き線香の最内周部の内側から出発して最内周から０．８周より多く１．５周より少ない範囲で下方から支持される。
【００１７】
本考案の釣金具は、実際には釣糸を有しない穴あきタイプの渦巻き線香に同封されて販売される。このようにセット販売することにより、釣糸を有しない穴あきタイプの渦巻き線香を購入したときに、そのための専用の台や部品がなくても市場の大半を占める松風渦巻き線香釣台に好適に使用することができる。
【産業上の利用可能性】
【００１８】
本考案の釣金具は、釣糸を有しない穴あきタイプの渦巻き線香を松風渦巻き線香釣台にも好適に使用できるようにしているので、薫香用燻焼具を取扱う業界において極めて有用である。
【図面の簡単な説明】
【００１９】
【図１ａ】線香の中央端部に釣糸が練り込まれたタイプの渦巻き線香の概略図を示す。
【図１ｂ】釣糸が練り込まれていない穴あきタイプの渦巻き線香の概略図を示す。
【図２ａ】線香の中央端部に釣糸が練り込まれたタイプの渦巻き線香を松風渦巻き線香釣台に釣り下げて使用した状態を概略的に示す。
【図２ｂ】釣糸が練り込まれていない穴あきタイプの渦巻き線香を灰受け皿の中央に傘状に盛り上げた部品で下面から支持して使用した状態を概略的に示す。
【図３】本考案の釣金具の概略図を示す。
【図４】本考案の釣金具を松風渦巻き線香台に釣り下げて使用した状態を示す。
【符号の説明】
【００２０】
１  本考案の釣金具
２  渦巻き線香支持部
３  渦巻き線香釣り下げ部
４  渦巻き線香
５  松風渦巻き線香釣台
【図１ａ】
0003130540.tif 000003
【図１ｂ】
0003130540.tif 000004
【図２ａ】
0003130540.tif 000005
【図２ｂ】
0003130540.tif 000006
【図３】
0003130540.tif 000007
【図４】
0003130540.tif 000008